(57)【要約】【解決課題】スロットマシンにおける模様替えを容易且つ迅速に行えるようにすること。【解決手段】本体枠（１）の前面を被う前扉（４）に開設する透視窓（７）に装着枠部（４０）を形成する。その一方、表示器本体（３９ｂ）と表示パネル（３９ａ）とからなる表示体（３９）を別体に形成して、該表示体（３９）を前記装着枠部（４０）に着脱自由に収めると共に、前記表示パネル（３９ａ）を前記表示器本体（３９ｂ）に対して着脱自由に組付けて必要に応じて該表示パネルを表示器本体から外し、他の表示パネルと入れ替えることによってスロットマシンの前記前扉（４）の様子を変更し、模様替えする。【選択図】          図３
2004147960.tif 000002
【特許請求の範囲】
【請求項１】
ドラムユニット及びメダル払出し装置を格納する本体枠と、該本体枠の前面を被うと共に前記ドラムユニットを覗く透視窓を開設し、前面部にドラムユニットの操作ボタン、ゲームの設定用ボタン、メダルの投入口、メダルの放出受皿等諸種の遊技操作用の設備を備える前扉とを有してなるスロットマシンにおいて、
前記前扉には前記透視窓の開設位置に開口する装着枠部を形成し、該装着枠部に照明ランプを内蔵する表示器本体と、該表示器本体の前面に装着して前記ドラムユニットの前面部を覗く透視部及び該透視部を囲む周囲に前記照明ランプによって照明される表示部を設けた表示パネルとからなる表示体を装着して前記装着枠部を閉ざす一方、前記表示パネルを前記表示器本体に着脱自由に装着し、交換自由にしてなることを特徴としたスロットマシン。
【請求項２】
請求項１の記載において、表示体は前扉に開設する装着枠部に着脱自由に装着してなることを特徴としたスロットマシン。
【請求項３】
請求項１又は２の記載において、表示体は表示器本体を所要厚みを有する箱形に形成し、前面側縁部に内向きに開口する溝を形成し、該溝に表示パネルの縁部を抜差自由に嵌合することを特徴としたスロットマシン。
【請求項４】
請求項１乃至３の記載において、表示体一側縁部を前扉の装着枠部の内周一側縁部に枢着軸を介して揺動自由に枢着支持する一方、揺動他側縁部を前記装着枠部の他側縁部に設ける係止片に係脱自由に掛け止め、閉塞状態に固定することを特徴としたスロットマシン。
【発明の詳細な説明】
【０００１】
【発明の属する技術分野】
本発明は、スロットマシンに関する。
【０００２】
【従来の技術】
周知のように、スロットマシンは箱形をなす本体枠に複数の回転ドラムを連装したドラムユニットと、ゲームの成立に伴って払い出すメダルを貯留するメダル払出し装置を格納し、この本体枠の前面を前扉によって被う構造になっている。
そして、上記前扉にはドラムユニットの回転ドラムを覗く透視窓を開設し、この透視窓を囲むように回転ドラムの周面に表す図柄の組合せを表示する表示部や、メダルの投入状態やゲームの賭率を表示する表示部を設け、また遊技の進行操作のための諸手段、例えば回転ドラムを始動させるためのレバーや各回転ドラムを停止させるための停止ボタン、更にはメダルの投入口や払い出しにより放出されるメダルを受ける受皿等を前面の適所に配置しスロットマシンの外観を構成している。
【０００３】
従来、これらの設備を備えたスロットマシンは全ての部品設備を一体のものとして使用しており、ゲーム仕様の変更等機種を変更する場合にはスロットマシン全体の取り替えによってこれに対応する方法を採っている。
【０００４】
しかし、この機種の入れ替えによる変更は全てが変ることから模様替えする場合には最も効果的な変更となるが、スロットマシンを新機のものと入れ替えることは高額となると同時に、旧機の再利用可能な部分についてこれを廃棄することになり、ひいては廃棄処分するに当って無要な処分費用を掛けることにもなる。
【０００５】
元来機種の変更はゲーム仕様の変更により遊技方法が変り遊技者にそれに基づく新鮮さを与え、興味意欲を高めることになるが、同時に外観、デザインが変更されることによって見た目の新鮮さが与えられることにもなる。
この様なことから、最近スロットマシンの全体を入れ替えることなく主要な部分、例えば回転ドラムとこの回転ドラムと一体性を有する表示部のみをスロットマシン本体から外して新たなものと交換し、ゲーム仕様の変更と共にこれに伴う外観部分を変えて模様替えし、遊技者に新鮮味を与える言わば部分切り離しの分離型スロットマシンが提供されるようになっている。
【０００６】
例えば特開平１０ー５２５２５号公報に記載されるスロットマシンの構造がその一例である。
このスロットマシンは本体箱２０に対してその前面を塞ぐ前扉４０を表示窓４１を有する上部ドア９０と、装飾パネル１０１を有する下部ドア１００とから構成し、これらのドアをヒンジ装置３０を介して前記本体箱２０の一側に開閉自由に取り付けるようにしたもので、各ドア９０，１００をそれぞれヒンジ装置３０を外すことにより本体箱２０から個別に取り外して交換できる構造としたものである（特許文献１）。
【０００７】
【特許文献１】
特開平１０ー５２５２５号公報  第２頁左欄第２４行目〜第３２行目、第５頁右欄第２２行目〜第３８行目、及び図１、図２。
【０００８】
ここに提案された例は、上下のドアを個別に交換可能にすることで、スロットマシンを部分的に変更することができるようにしたものであり、この交換によって外観の部分的変更と機能の変更、ことに上部ドアにおいてはリール装置１１０、つまり回転ドラムのユニットを一緒に備えるものとなっていることからゲーム仕様も交換変更することができるものとなっている。
【０００９】
【発明が解決しようとする課題】
しかし、この従来の部分交換可能にしたスロットマシンはゲーム仕様を変更するドラムユニット（リール装置）を含む入れ替えを可能とする点でスロットマシン全体の変更に近い効果を挙げることができるが、遊技者に模様替えの印象を与える程の変更のためには機能の変更を伴わない変更、つまり視覚される範囲の意匠的変更でも充分であり、またこの様な変更がコスト的にも有利である。
【００１０】
本発明は、この様な観点において容易にスロットマシンの外観的変更を可能にし、遊技者に新鮮さを与えて新機種の入れ替えに近い印象を与えるようにしたスロットマシンを提供するため開発されたもので、これによりスロットマシンの使用期間の延長を図ると共に、無用な廃棄処分を回避し、また維持，管理を容易にした経済性に優れたスロットマシンを提供しようとしたものである。
【００１１】
【課題を解決するための手段】
本発明は上記目的を達成するため、前扉とは別に透視窓に対して装着する表示体を形成し、この表示体を構成する表示器本体と表示パネルのうち表示パネルのみを単独で交換できるようにして表示器本体に対して着脱自由に取付け、必要に応じてこの表示パネルを交換して、この表示パネルに表す表示部の変更、図柄模様の変更、標記する文字の変更等を行えるようにして外観的主要部の入れ替えを行い、併せてスロットマシンの前面部の模様替えが行えるようにした改善されたスロットマシンを提供することにある。
【００１２】
更に本発明を詳述すると、その特徴とするところはドラムユニット及びメダル払出し装置を格納する本体枠と、該本体枠の前面を被うと共に前記ドラムユニットを覗く透視窓を開設し、前面部にドラムユニットの操作ボタン、ゲームの設定用ボタン、メダルの投入口、メダルの放出受皿等の諸種の遊技操作用の設備を備える前扉とを有してなるスロットマシンにおいて、前記前扉には前記透視窓の開設位置に装着枠部を開設し、該装着枠部に照明ランプ、７セグメント表示器を内蔵する表示器本体と、該表示器本体の前面に装着して前記ドラムユニットの前面部を覗く透視部及び該透視部を囲む周囲に前記照明ランプによって照明される表示部を設けた表示パネルとからなる表示体を装着し、前記装着枠部を閉ざす一方、前記表示パネルを前記表示器本体に着脱自由に装着し、交換自由にしてなることを特徴としたスロットマシンを提供することにある。
【００１３】
また本発明は、前記表示体は前扉に開設する装着枠部に着脱自由に装着してなることを特徴としたスロットマシンを提供することにある。
【００１４】
また本発明は、前記表示体は表示器本体を所要厚みを有する箱形に形成し、前面側縁部に内向きに開口する溝を形成して該溝に表示パネルの縁部を抜差自由に嵌合することを特徴としたスロットマシンを提供することにある。
【００１５】
更にまた本発明は、前記表示体一側縁部を前扉の透視窓の装着枠部の内周一側縁部に枢着軸を介して揺動自由に枢着する一方、揺動他側縁部を前記装着枠部の他側縁部に設ける係止片に係脱自由に掛け止め、閉塞状態に固定することを特徴としたスロットマシンを提供することにある。
次に、上記本発明の特徴とするところを図面に示す実施例に基づき詳述し、併せてその他の特徴につき説明することにする。
【００１６】
【発明の実施の形態】
【実施例】
図１乃至図１０は本発明に係るスロットマシンの実施例を示すものである。
図１は本発明スロットマシンの斜視図であり、図２は前扉を開放した状態の斜視図、図３は本体枠からドラムユニットを取り出した状態の斜視図、図４は前扉から表示体を取り出した状態の斜視図、図５は概略の拡大縦断右側面図、図６は本体枠、ドラムユニット、及び前扉を分解した状態を示す拡大縦断右側面図である。
【００１７】
本体枠１は前面を開放した縦長の箱形に形成してあり、その開口部２の左側縁部にヒンジ装置３を介して前扉４を蝶着し、内部にドラムユニット５とメダル払出し装置６を収める。
【００１８】
前扉４は上半部の中央部分に大型の透視窓７を開設し、その上部前面部に上部ランプケース８を設け、その背面側からランプ基板９を臨ませて取付けている。
更に、前扉前面の中央部に略全幅に亘るように前方に突出する操作台１０を設け、この操作台の上面の左側にメダル投入個数を設定する３個のボタン１１を横並びに、また右側にメダル投入口１２を設けている。
【００１９】
上記操作台１０の前面部にはスタートレバー１３を配置し、中央部には後述する回転ドラムを停止させるためのストップボタン１４ａ，１４ｂ，１４ｃを設け、また右側にはクレジットモード設定用のボタン１５、詰りメダルの解除用ボタン１６を設けている。
【００２０】
１７は、前記操作台１０の下方前面部に着脱自由に添設した固定表示板であり、この表示板１７の下方に放出されるメダルを受ける受皿１８を突き出し状に設け、受皿１８の上方に前記払出し装置６から放出されるメダルをこの受皿に排出する排出口１９を設けている。
【００２１】
一方、前扉４の背面側には前記メダル投入口１２から投入されたメダルを選別するセレクター２０を斜めに配置し、前扉４が閉塞されたとき払出し装置６の貯留タンク部６ａに臨んで投入されたメダルがこのセレクター２０を通して払出し装置６に送られるようにしてある。
【００２２】
上記セレクター２０の下方には前記排出口１９の後部が突出し、メダル払出し装置の放出口２１と連通するようにしてあり、隅部には効果音を発するスピーカー２２が設けてある。そして、前扉４の自由端縁には後向きにロック装置の係止片２３が突き出し、本体枠の左側壁内面部に相対応して設ける係止部２４に掛け止め施錠できるようにしてある。
尚、前扉４の前面側にはロック装置を解錠操作するための鍵を差し入れる鍵穴２３ａが設けてある。
【００２３】
一方、ドラムユニット５は図３に示す如く基板２５から門形の支持フレーム２６を起立し、このフレームの中に図示しない２つの支持板を等間隔に立設して三分割し、回転ドラム２７ａ，２７ｂ，２７ｃを収める３つのドラム収容室を隣り合せに形成している。そして、個々の収容室に臨む上記支持板若しくは支持フレームの起立板部にそれぞれ回転ドラムを個別に駆動するモータ（図示せず）を固定し、その回転軸に各回転ドラムを個別に軸装してこれらが個々に回転し、停止できるようにしてある。
【００２４】
上記ドラムユニット５は基板２５の左右の縁部に側方に突き出すようにしてそれぞれ前後に２個の滑合部材、ここではローラー２８，２８を備えている。
上記ローラー２８は本体枠１の左右の側壁板２９，２９の内面に相対向させて各水平に付設する支持レール３０，３０に滑合し、ドラムユニットを本体枠１の内部に出し入れ自由に支持するようにしてある。
【００２５】
滑合部材である前記ローラー２８は、図１０に示したようにこの実施例では基板２５の両縁部から折り曲げ垂設する受部３１，３１に支軸３２を軸着して回転自由に取付けてあり、一方、支持レール３０は金属帯板を断面Ｌ字形に屈曲成形してその一片を取付片３０ａとし、これをビス３３によって前記側壁板２９に固着し、他の支持片３０ｂとなる一片を水平に保持し、これに前記ローラー２８を受止めるようにしてある。
【００２６】
図面から明らかな様に、前記ドラムユニット５の基板２５は両側壁板２９，２９に各付設する支持レール３０，３０に左右のローラー２８，２８を架け渡すことができる幅に形成するが、更にここでは前記支持レールの支持片３０ｂを広幅に形成して余裕をもってローラー２８，２８を受けられるようにしてある。そして、両ローラーを滑合したときローラー２８と支持片３０ｂの内側の縁部との間に間隔３４が確保できるようにしてある。
この間隔３４はドラムユニットの基板２５の幅員に対して本体枠１の両側壁板２９，２９間に製造上起こる間隔の誤差を吸収するため設けられたものである。
【００２７】
両支持レール３０，３０に左右のローラー２８，２８を滑合させ支持させた後、一方のローラー２８と側壁板２９との間に上記間隔３４を埋める一定幅員のスペーサー３５を介挿し、ピン３６でこれを支持片３０ｂに固定してドラムユニット５を所定位置に固定することになる。
【００２８】
図中、３７は前記支持レールの支持片３０ｂの端縁から立ち上げた縁片である。この縁片３７は滑合部材たるローラー２８の落下を防止するためと、ここでは前記スペーサー３５の固定において、このスペーサーと共同してローラー２８を狭持し、任意の移動を拘束してドラムユニットを一定位置に固定するために機能する。
【００２９】
尚、支持レール３０は側壁板２９の内側面に沿って開口部２から背面壁３８に至る全幅に亘って付設し、ドラムユニット５の基板２５の両側部に前後２個宛設ける２つのローラー２８，２８を略前端と後端の２ヶ所で受け止め、これにより安定した状態でドラムユニットを支持することができるようにしてある。
【００３０】
図中、３９は前記前扉４に開設する窓７に着脱自由に装着される表示体である。また、４０はこの表示体３９を着脱自由に装着するため前記透視窓７の内周部に形成した装着枠部である。
【００３１】
表示体３９は、図７に分解して表すように表示パネル３９Ａと表示器本体３９Ｂ及びこの表示器体に組付けられるランプ基板から構成される。
表示パネル３９Ａは透明なガラス板或はアクリル板などのプラスチック板から形成して中央部に回転ドラム２７ａ，２７ｂ，２７ｃの前面部を覗かせる透視部４１を設け、この透視部４１を除く周縁部分を着色して半透明若しくは不透明部分を形成し、これに後述する各種の表示部を設けるようにしてある。
【００３２】
表示パネル３９Ａを更に詳述すると、上部に機種を表示する広告用の図柄模様（表示部）４２を表し、この模様の下に左からクレジットメダル数を表示する表示部４３、大当りラウンド表示部４４、メダル払出数表示部４５を設け、窓４１の左方には縦列に５個の遊技状態報知部４６を設けてある。そして、窓４１の左右両側には左右対称状に５個のライン表示部４７・・・と、４８・・・を設け、更に窓４１の下方には回転ドラムに各対応するように３個の回転ドラムの回転状態を表示する表示部４９が設けてある。
上記透視部４１には上記ライン表示部４７・・・、４８・・・間を結ぶように表示ラインが描かれる。
【００３３】
上記それぞれの表示部はその背後に設置されるＬＥＤやフィラメント型電球等のランプ、７セグメント表示器等の形状が直接的に視覚されないように着色されて半透明化され、また着色に濃淡の変化を付けて表示部毎の違いが一見して識別できるようにしてある。そして、これらは表示器本体３９Ｂの点灯照明によって表示状態が一層明瞭なものとなる。
【００３４】
ところで、上記表示器本体３９Ｂはプラスチックを材料に形成したランプケースになっている。図７に示すように表示パネル３９Ａに合せた矩形の箱形に形成してその中央部分には透視部４１に対応させて矩形の中空の窓５０を形成し、この中空の窓５０を囲むように前記表示パネル３９Ａに各形成するそれぞれの表示部に対応させたランプ収容部４２ａ〜４９ａを設けている。
そして、上記各ランプ収納部を壁板によって仕切り独立する構造にして照明を個別化すると共に、表示器本体自体の軽量化を図り、また強度を高めて表示パネル３９Ａを安定的に支持できるようにしてある。
【００３５】
表示器本体３９Ｂは背面に前記ランプ収容部４２ａ〜４９ａに向けてそれぞれランプ並びに７セグメント表示器５１を備えた基板５２，５３，５４，５５を添わせ、更に可動するランプ５６を備えた可動ランプ表示装置５７、及び液晶表示装置５８を臨ませてこれらを一体的に組付け、表示体３９を構成する。
【００３６】
尚、上記可動ランプ表示装置５７は機械的にランプ５６を作動させて表現に動きを加えたもので、ここでは遊技の内容として「リーチ」を表示するものとして組み込んでいる。この表示装置５７は箱形のケースに収めて前記表示器本体３９Ｂに設けるランプ収容部４２ａに背後から嵌め込み取付けることになる。
【００３７】
また、液晶表示装置５８は遊技の進行状況を動画として画像表現し、遊技者に報知するものであり、前記表示器本体３９Ｂの収容部５９に背後から嵌め入れ組付けられる。そして、前面の画面５８ａを前記表示パネル３９Ａに透明の状態に残す小窓６０に臨ませて表示パネルの前面側から画面５８ａが覗けるようにする。
【００３８】
尚、上記液晶表示装置５８については、その表示する画像データ及び画像制御データを収めたＲＯＭ等のデータ記憶装置を含む画像制御基板を該液晶表示装置の背面或は表示体３９の背面等の適所に一体に備えておくと、後述する遊技制御基板等その他の制御手段に関係することなく表示体３９と共に単独に取り外し移動することができる。
【００３９】
図８は、上記の表示パネル３９Ａ，表示器本体３９Ｂ，各種のランプ基板５２〜５５，可動ランプ表示装置５７，液晶表示装置５８を組立て、表示体３９を完成させた姿を示す背面側から見た斜視図である。
この表示体３９は全体として浅い矩形の箱形を呈するものとなるが、表示パネル３９Ａは表示器本体３９Ｂの前面側周縁に設ける内向きの溝６１に縁部を嵌めることで組付けられる。このとき上記表示パネル３９Ａの外形形状を溝６１の底部の形状に一致させておくと、嵌め合せによって両者を一体に結合させることができる。
【００４０】
一方、装着枠部４０は図３乃至図６に示したように透視窓７の内周縁に沿ってこの縁を取り囲むように矩形の枠体６２として形成してあり、この枠体６２の内周下端に左右対称状に軸受孔６３が設けて、この軸受孔に前記表示体３９の左右両側縁の下端部に突設する枢着軸６４を軸着することで表示体３９を装着することになる。
【００４１】
上記軸受孔６３は、図４及び図９に示すようにここでは枠体６２にＬ字形に切り欠いて形成する導入溝６５に連続させてあり、枠体の後端縁に開口する該溝６５の端部から前記枢着軸６４を導き入れることで軸着し、また逆に導入溝６５を通して引き出すことで枢着状態を解除し枢着枠部４０から表示体３９を取り外すことができるようにしてある。
従って、表示体３９はこの導入溝６５を通して軸受孔６３に枢着軸６４を出し入れすることで装着枠部４０に組付け、また取り外すことができることになっている。
【００４２】
図中、６６は表示体３９を窓７の装着枠部４０内に止め付けておくための係止片である。この係止片は前記枠体６２の上縁部にビス６７によって止め付けられ、各回転自由に取付けられている。
係止片は表示体３９を嵌め入れた後、それぞれ各先端を内向きに回すことで表示器本体３９Ｂの背面を押え付け、止め付けることになる。
【００４３】
さて、上記構成に係る本発明スロットマシンは本体枠１と前扉４、ドラムユニット５、メダル払出し装置６、そして装着体３９を前述した如く各個別に形成し、その後相互に組合せることにより完成させることになる。そして、本体枠１については予め支持レール３０を側壁板２９の内側面に止着し、また一方の側壁板２９に外部中継端子基板６８を取付け、他方の側壁板２９に電源基板６９を取付け、底板７０上に払出し装置６を載置してこれを収容することになる。
【００４４】
ドラムユニット５は、本体枠１に対する諸部材を前述の如く装備したのち開口部２を通して持ち込むことになる。このとき左右のローラー２８をそれぞれの支持レール３０に滑合させ、その後この支持レールを案内にして押し込み、収容することになる。そして、ローラーが収まり位置に達したとき、前述したスペーサー３５を支持レールに添えてビス止めし、前後のローラーの移動を拘束し、これによって定位置にセットすることになる。
【００４５】
勿論、支持レールに対するドラムユニット５の固定は、相互の間にロック装置を配置して掛け止め固定してもよく、更に簡単には支持レールの定位置に小突起部を設けてドラムユニットを最終位置に押し込んだときこれに後方のローラー２８を乗り上げ係止させてもよく、その方法は１つに限定されない。
【００４６】
この取付け作業に先立って遊技制御基板７１と、ここではドラムユニット５の支持フレーム２６上面に備えるドラム装置中継基板７２、及び表示器本体３９Ｂに臨むそれぞれのランプ基板５２，５３，５４，５５とをコード７３，７４を介して接続し、ドラムユニットの持込み作業の終了後に上記遊技制御基板７１と電源基板６９との接続を行うことになる。
【００４７】
尚、前扉４は上記の作業ののち本体枠１と分割して取り付けておいたヒンジ装置３のヒンジ片相互の組合せによって連結し、本体枠１の前面に開閉自由に蝶着することになる。
そして、上記ヒンジ装置３は回転支軸を介してのヒンジ片の着脱組合せによって分割し、又組合わせる構造にしてあり、本体枠１に対して前扉４の着脱がこれによって簡単にできるようにしてある。
【００４８】
前扉４は、本体枠１に閉じ合せたとき、図４に示した如く透視窓７の装着枠部４０に装着した表示体３９を本体枠１内に収めるドラムユニット５の前面に臨ませることになる。そして、表示器本体３９Ｂに開設する窓５０に対して背後から３つの回転ドラム２７ａ，２７ｂ，２７ｃの前面部分を突き入れるようにして、表示パネル３９Ａの透視部４１を通してこの前面部分、即ち各回転ドラムの周面に描く図柄を前方から覗けることになる。
【００４９】
本発明は上述説明の如く構成されるもので、前扉４の透視窓７に前扉とは別体に形成する表示体３９を着脱自由に装着し、更に表示体の表示パネル３９Ａを着脱自由にしたことから、この表示パネル３９Ａを表示体から外し、交換すると表示の方式を全く異なるものに変えることができることになる。
【００５０】
例えば、ドラムユニット５及び遊技制御基板７１を交換して回転ドラム２７ａ，２７ｂ，２７ｃに表示する図柄の組合せを５種類から３種類に変更するとした場合（遊技仕様の変更）、透視部４１に表示する表示ラインを５線から３線に変える必要があるが、この場合従来のスロットマシンにおいては前扉４の全てを替えるか、スロットマシンそのものを入れ替える必要があったが、本発明においては表示体３９の表示パネル３９Ａと遊技精義基板７１の交換でその変更が完了することになる。
【００５１】
この表示の変更は遊技仕様（方式）の変更のみならずデザイン上の変更にも対応するものとなる。表示パネル３９Ａに表す各種表示部４２乃至４９の形状や色彩の変更、或は表示パネル３９Ａに施す装飾的表示を変更し、模様替えするとき、表示体３９から表示パネル３９Ａを抜き取り、他の表示パネルに入れ替えれば、この模様替えすることができる。
【００５２】
この方法による模様替えはスロットマシンにおいて部分的な模様替えではあるが、回転ドラムを囲む最も主要な表示部分の入れ替えとなるためスロットマシンの様相を一新する変更となる。この時、前扉の全体からすると一部の変更ではあるがその効果は極めて大きなものとなる。
【００５３】
なお、実施例の説明では装着枠部４０に表示体３９を固定するに当って係止片６６による掛け止めとしたが、フック装置を用いて止め付けても、また数本のビスを用いて止め付けるようにしてもよい。
たゞ、この場合止め付けが確実なものであれば、より簡単な操作で止め付けられるものであることが望ましく、前述したように係止片６６の如く掛け止めタイプの止め具が都合が良い。
【００５４】
ところで、本実施例では係止片６６の掛け止めを外したとき、表示体３９を下端の枢着軸６４を支点に上端部を後方に引き出し、表示器本体３９Ｂの溝６１に嵌め付けた表示パネル３９Ａの上端を露出させることができるものとなっていることから、図３，図６に示した如く斜め上方に向けて表示パネル３９Ａを引き抜くことができ、容易に新たな表示パネルと入れ替えることができるものとなっている。
勿論、この入れ替えののちは表示体３９を元に戻して係止片６６を掛け止めれば、装着枠部４０内に収まり、透視窓７を塞ぐものとなるため透明部４１を通して回転ドラムをこれから覗くことができるものとなる。
【００５５】
その一方、ここでは前述したように表示体３９を枢着軸６４を介して揺動自由に軸着支持する構造とすると同時に、この枢着軸６４を軸受孔６３に設ける誘導溝６５を通して抜き取ることができる構造としたことから、装着枠部４０から表示体３９をそっくり抜き取り、別の表示体と入れ替えることも可能となっている。
従って、表示パネル３９Ａの変更に止まらず、これを照明し、或はランプの点滅によって表示するランプケースとなっている表示器本体を含み交換する場合には表示体３９自体を交換して模様替えすることができるものとなる。
【００５６】
この表示体３９の入れ替えは、前記ドラムユニット５を交換し、遊技仕様を変更する如く機種の変更に継がる入れ替え作業を行う場合に有効であり、前扉４の構造上の変更改善を行うことなくその作業を簡便且つ迅速に行うことができる。
【００５７】
つまり、前述したように本発明スロットマシンにおいては、ドラムユニット５を本体枠１に対して支持レール３０を介して出し入れ自由に装着支持する構造とし、このドラムユニット５を他のドラムユニットに簡単に交換することができるものとしたことからドラムユニットの各回転ドラム２７ａ，２７ｂ，２７ｃの周面に表示される図柄を変更し、更にゲーム仕様の変更に併せて遊技制御基板を変えたとき、同時にスロットマシンのデザイン上の重要な要素となる表示体３９を交換すると、スロットマシンの主要な外観を変えることになるため、様相を一新することになる。
【００５８】
ところで、表示体３９を透視窓７の装着枠部４０の収めるに当って前記実施例では枢着軸６４を軸受孔６３に軸承させて揺動可能に支持し、係止片６６の掛け止めで固定する構造としたが、上記枢着軸６４に代えて表示体３９の下縁部、具体的には表示器本体３９Ｂの下面部分に突起乃至突条を形成し、他方装着枠部４０の下端部、つまり枠体６２の下端部内周面に上記突起乃至突条を受ける凹部乃至溝部を形成して両者を嵌合し、この嵌合部を起点にして表示体３９の上端部が前後に揺動するように取付けてもよく、このとき同じく係止片６６を利用して掛け止め固定するようにしてもよい。
【００５９】
この表示体３９を揺動自由に支持する構造は表示体３９の着脱交換を図ると同時に、表示パネル３９Ａの抜差し作業を容易に且つ迅速に行うためであり、加えて表示体３９の揺動支点を下端に設けたのは更に作業性を高めるためである。従って、この揺動支点の位置については左右、つまり装着枠部４０り左右いずれかの側縁部に揺動支点を移し、表示体３９を水平方向に開閉するようにしても実施は可能である。
【００６０】
尚、実施例では前扉４の開放した透視窓７に背後から表示体３９を嵌め付けて、その表示パネル３９Ａでこの窓７を塞ぐものとしたが、窓７に予め透明板を装着して上記表示体３９の露出を防止するようにしてもよい。勿論、この場合には二重構造となることから防犯効果を挙げる上でも有効である。
【００６１】
【発明の効果】
以上説明の通り、本発明スロットマシンによれば、前扉の窓に対して回転ドラムと組をなしてゲームの内容を表示し、或は進行状況やゲームの結果等を表示する一方、ゲーム機たるスロットマシンを装飾し外観を形作る表示パネルを着脱自由に装着し、交換自由にしたことから、この表示パネルを単独に、且つ簡便に取り替えることによって極めて容易にスロットマシンの模様替えを行うことができる。
【００６２】
また本発明スロットマシンは、ドラムユニットを変更した場合等に対してこの変更に伴わせて回転ドラムに対応させた表示パネルに差し替えることができるため部分的な変更でスロットマシンを再生させることができ、また、実質的な機種の変更を行うことができるためスロットマシンの再利用が図られ、経済性に優れる利点がある。
【図面の簡単な説明】
【図１】本発明に係るスロットマシンの斜視図。
【図２】前扉を開放した状態の斜視図。
【図３】前扉を開放し、ドラムユニットを取り出した状態の分解斜視図。
【図４】前扉を開放してドラムユニットを取り出すと共に表示体を後ろに傾け取り出す状態を示した分解斜視図。
【図５】拡大縦断右側面図。
【図６】分解した状態の拡大縦断面図。
【図７】表示体の分解斜視図。
【図８】表示体の背面から見た斜視図。
【図９】装着枠部と表示体の枢着関係を説明する部分の拡大斜視図。
【図１０】本体枠に装備されるレール材とこれに滑合するローラーとの関係を示す一部省略した拡大正面図。
【符号の説明】
１                  本体枠
２                  本体枠の開口部
３                  ヒンジ装置
４                  前扉
５                  ドラムユニット
６                  ホッパー装置
７                  前扉に形成した透視窓
２５                ドラムユニットの基板
２６                支持フレーム
２７ａ，２７ｂ，２７ｃ  回転ドラム
３０                支持レール
３９                表示体
３９Ａ              表示パネル
３９Ｂ              表示器本体
４０                装着枠部
４１                透視部
４２〜４９          表示部
４２ａ〜４９ａ      ランプ乃至７セグメント表示器の収容部
５２〜５５          ランプ乃至７セグメント表示器の基板
６３                軸受孔
６４                枢着軸
６５                導入溝
６６                係止片
【図１】
2004147960.tif 000003
【図２】
2004147960.tif 000004
【図３】
2004147960.tif 000005
【図４】
2004147960.tif 000006
【図５】
2004147960.tif 000007
【図６】
2004147960.tif 000008
【図７】
2004147960.tif 000009
【図８】
2004147960.tif 000010
【図９】
2004147960.tif 000011
【図１０】
2004147960.tif 000012